(57)【要約】【課題】本考案は、生け花を挿し込んだままでも運搬し易く、運搬時に生け花が傷つきにくいベルト付き花器を提供することを目的とする。さらに、本考案は、透明感があり、水がこぼれにくく、生け花を挿し込むバリエーションが増やせるベルト付き花器を提供することを目的とする。【解決手段】本考案に係るベルト付き花器１０は、天面２１が開口した花器２０をプラスチック樹脂で形成し、花器２０の側面２２ａ、２２ｃの上側に、２個の貫通孔２４ａ，２４ｃを対向し合った状態で設け、貫通孔２４ａ，２４ｃに提げ用ベルト３０を着脱自在に固定している。【選択図】図１
0003127602.tif 000002
【実用新案登録請求の範囲】
【請求項１】
天面が開口した花器をプラスチック樹脂で形成し、
前記花器の側面の上側に、少なくとも２個の貫通孔を対向し合った状態で設け、
前記貫通孔に提げ用ベルトを着脱自在に固定していることを特徴とするベルト付き花器。
【請求項２】
前記花器を形成するプラスチック樹脂がアクリル樹脂又はポリエチレンテレフタレート樹脂であることを特徴とする請求項１に記載のベルト付き花器。
【請求項３】
前記花器の内壁に、略水平方向に周回する水返し部を設けたことを特徴とする請求項１又は２に記載のベルト付き花器。
【請求項４】
前記花器の側面のうち中央高さよりも上側に、生け花の挿し込み用の開口部を設けたことを特徴とする請求項１、２又は３に記載のベルト付き花器。
【請求項５】
前記提げ用ベルトに、前記花器に挿し込まれた生け花のうち、前記花器の開口から出ている部分を束ねる結束用ベルトを装着したことを特徴とする請求項１、２、３又は４に記載のベルト付き花器。
【考案の詳細な説明】
【技術分野】
【０００１】
本考案は、プラスチック樹脂製の花器に関する。
【背景技術】
【０００２】
生け花が挿し込まれた花器は運搬に適していないことから、花器に挿し込まれた生け花を花器からバックに移し替え、生け花と花器とを別々に運搬する場合がある。従来から、生け花の運搬に適した生け花用バックの技術が開示されている（例えば、特許文献１又は２を参照。）。また、婚礼の際に使用し、ブーケを挿し込むバック型花器の技術が開示されている（例えば、特許文献３を参照。）。
【０００３】
【特許文献１】実登３０４２０３３号公報
【特許文献２】実登３０１４６３６号公報
【特許文献３】実登３１１５８７９号公報
【考案の開示】
【考案が解決しようとする課題】
【０００４】
しかし、特許文献１及び２をはじめとする従来の生け花用バックは、生け花を移し換える手間が掛かる問題がある。
【０００５】
特許文献３をはじめとする従来のバック型花器は、運搬時に針金である持ち手が指に食い込むことがあり、運搬しにくい問題がある。また、従来のバック型花器は、持ち手が花器本体に固定されているので、持ち手が生け花の観賞の邪魔になっている問題がある。
【０００６】
そこで、本考案は、前記課題を解決する為になされたもので、生け花を挿し込んだままでも運搬し易く、かつ、観賞に適しているベルト付き花器を提供することを目的とする。
【課題を解決するための手段】
【０００７】
本考案者らは、プラスチック樹脂で花器を形成し、着脱自在な提げ用ベルトを用いることによって、前記課題を解決できることを見出し、本考案を完成させた。すなわち、本考案に係るベルト付き花器は、天面が開口した花器をプラスチック樹脂で形成し、前記花器の側面の上側に、少なくとも２個の貫通孔を対向し合った状態で設け、前記貫通孔に提げ用ベルトを着脱自在に固定していることを特徴とする。
【０００８】
本考案に係るベルト付き花器では、前記花器を形成するプラスチック樹脂がアクリル樹脂又はポリエチレンテレフタレート樹脂であることが好ましい。透明感のある花器とすることができる。
【０００９】
本考案に係るベルト付き花器では、前記花器の内壁に、略水平方向に周回する水返し部を設けたことが好ましい。前記ベルト付き花器に入っている水がこぼれにくくなる。
【００１０】
本考案に係るベルト付き花器では、前記花器の側面のうち中央高さよりも上側に、生け花の挿し込み用の開口部を設けたことが好ましい。前記ベルト付き花器は、前記生け花を挿し込むバリエーションを増やせる。
【００１１】
本考案に係るベルト付き花器では、前記提げ用ベルトに、前記花器に挿し込まれた生け花のうち、前記花器の開口から出ている部分を束ねる結束用ベルトを装着したことが好ましい。運搬時に生け花が束ねられた状態となるので傷つきにくくなる。
【考案の効果】
【００１２】
本考案は、生け花を挿し込んだままでも運搬し易く、かつ、観賞に適しているベルト付き花器を提供できる。
【考案を実施するための最良の形態】
【００１３】
以下、本考案の実施形態について、図面を参照しながら詳細に説明する。なお、本考案は、以下に示す実施形態に限定されるものでなく、同一部材・同一部位には同一符号を付した。
【００１４】
図１に、本実施形態に係るベルト付き花器１０の斜視図を示した。本実施形態に係るベルト付き花器１０は、天面２１が開口した花器２０をプラスチック樹脂で形成し、花器２０の側面２２ａ，２２ｃの上側に、２個の貫通孔２４ａ，２４ｃを対向し合った状態で設け、貫通孔２４ａ，２４ｃに提げ用ベルト３０を着脱自在に固定している。図１において、天面２１の開口した部分を符号２１ａで示し、花器２０の底面を符号２３で示し、底面２３に対して略垂直となる側面２２ｂ，２２ｄを示した。また、提げ用ベルト３０は、ベルト３１及び留め具３２で構成される。さらに、図１には、花器２０の高さを符号Ｈ、天面２１の側の幅を符号Ｗ１、底面２３の側の幅を符号Ｗ２及び奥行きを符号Ｄで示した。
【００１５】
花器２０の形状は、特に制限されず、例えば、箱型、半球体型、半楕円球体型又は円筒型がある。図１において、花器２０の形状は、開口した天面２１、側面２２及び底面２３からなる箱型である。また、側面２２ａ，２２ｃは底面２３の法線に対して斜めとなるように形成され、天面２１は側面２２ａと側面２２ｃとの中間部分が高くなるような湾曲面を形成する。花器２０の大きさは、特に制限されず、例えば、高さＨが５０ｃｍ、天面２１の側の幅Ｗ１が３０ｃｍ、底面２３の側の幅Ｗ２が２５ｃｍ、奥行きＤが２０ｃｍである。
【００１６】
花器２０は、開口２１ａから生け花（不図示）を挿し込むことができる。図１において、天面２１の全てが開口しているが、天面２１の一部だけが開口しても良い（不図示）。
【００１７】
花器２０の形状を半球体型又は半楕円球体型とする場合、底面２３が平坦でないので、ベルト付き花器１０をテーブル、棚又は床に配置してベルト付き花器１０に挿し込まれた生け花を観賞する時（以後、「ベルト付き花器をテーブル、棚又は床に配置してベルト付き花器に挿し込まれた生け花を観賞する時」を「生け花の観賞時」と略記する。）、ベルト付き花器１０が倒れやすくなる。このとき、ベルト付き花器１０は、脚部（不図示）が、花器２０の軸を中心として３個以上、花器２０の底面２３に形成されることが好ましい。これによって、生け花の観賞時にベルト付き花器１０が倒れにくくなる。
【００１８】
ベルト付き花器１０は、少なくとも２個の貫通孔２４を設ければ良く、４個以上の偶数個の貫通孔２４を設けても良い。図１において、貫通孔２４ａを花器２０の側面２２ａの上側に設け、貫通孔２４ｃを花器２０の側面２２ｃの上側に設ける。さらに、２個の貫通孔２４を花器２０の側面２２ｂ，２２ｄの上側に対向し合う状態で設けても良い（不図示）。図１において、貫通孔２４ａ，２４ｃの大きさは、例えば、高さが３ｃｍ及び幅が１０ｃｍである。ここで、花器２０の側面２２の上側とは、花器２０の側面２２の上端から下方に１０ｃｍ、好ましくは５ｃｍまでの部分である。貫通孔２４ａ，２４ｃは、幅が提げ用ベルト３０のベルト３１の幅より広ければ制限されないが、指（不図示）を数本入れられる大きさであることが好ましい。これによって、貫通孔２４ａ，２４ｃに指を通してベルト付き花器１０を運搬することが可能となる。
【００１９】
花器２０を形成するプラスチック樹脂としては、例えば、アクリル樹脂又はポリエチレンテレフタレート樹脂（ＰＥＴ）がある。また、花器２０は、無色透明、有色透明、或いは、プラスチック樹脂を着色して又は顔料を混合して半透明又は不透明としても良い。花器２０をプラスチック樹脂製とすることによって、花器２０が軽量で割れにくくなり、ベルト付き花器１０は、運搬が容易になる。
【００２０】
花器２０は、例えば、天面２１、側面２２及び底面２３の形状に合せてプラスチック樹脂板を切断し、これらプラスチック樹脂板を接着して形成する。或いは、花器２０は、射出成形によって形成しても良い。ここで、花器２０を透明又は半透明とする場合には射出成形で形成することが好ましい。プラスチック樹脂板を接着して形成された花器２０に比べ、射出成形によって形成された花器２０は、プラスチック樹脂板同士の接着面から接着剤がはみ出る、接着面に気泡が残るといったことがなく、花器２０の美観が優れる。
【００２１】
提げ用ベルト３０としては、例えば、以下の形態がある。第１の形態は、貫通孔２４ａ，２４ｃのそれぞれに２本のベルト３１ａ，３１ｃを通し、互いに分合可能な留め具３２ａ、３２ｃをベルト３１ａ，３１ｃのそれぞれに固定した形態である。花器２０に生け花を挿し込む時、例えば、留め具３２ａ、３２ｃを分離させる。また、ベルト付き花器１０の運搬時、留め具３２ａ、３２ｃを嵌め合せることによって、提げ用ベルト３０を固定できる。第２の形態は、ベルト３１の一方の端からベルト３１の長手方向に一定間隔で留め金挿入孔（不図示）を複数設け、留め金挿入孔に挿入可能な細長い留め金（不図示）を有する留め具３２をベルト３１の他方の端に設けた形態である。留め具３２の留め金をベルト３１のいずれかの留め金挿入孔に挿入することによって、提げ用ベルト３０を固定できる。第３の形態は、ベルト３１の両端に嵌め込みボタンのオス側を設け、嵌め込みボタンのオスよりベルト３１の中央の側に嵌め込みボタンのメス側を設けた形態である。ベルト３１の両端を別々の貫通口２４ａ，２４ｃに通し、嵌め込みボタンのオスとメスとを嵌め込むことによって、提げ用ベルト３０を固定できる。ここで、提げ用ベルト３０は、ベルト３１を手提げ又は肩掛けに丁度良い長さとなるように調整できることが好ましい。また、図１において、提げ用ベルト３０は上記の第１形態であり、ベルト３１は、例えば、素材が布であり、留め具３２がＡＢＳ等のプラスチック製である。
【００２２】
図２に、ベルト付き花器の運搬時の画像を示した。図２に示すように、ベルト付き花器は、提げ用ベルトを肩掛けして運搬できるので、生け花を挿し込んだままでも運搬し易い。
【００２３】
生け花の観賞時、図３に示すように、提げ用ベルトを花器の貫通孔から取り外すことができる。図３に、生け花の観賞時の画像を示した。図３において、花器に水が入れられ、生け花は、下部の紐が取り外されて観賞できる状態で花器に差し込まれている。これによって、提げ用ベルトが花器に挿し込まれた生け花の邪魔とならず、ベルト付き花器は、観賞の用途に適する。
【００２４】
図４に、水返し部２５及び生け花の挿し込み用の開口部２７を備えたベルト付き花器１０の斜視図を示した。図４に示すように、本実施形態に係るベルト付き花器１１では、花器２０の内壁に、略水平方向に周回する水返し部２５を設けたことが好ましい。図４において、水返し部２５は、花器２０の側面２２ａ，２２ｂ，２２ｃ，２２ｄの内壁を周回する板状体である。また、板状体は、花器２０の側面２２の内壁から、例えば、１〜３ｃｍ突出する。水返し部２５を設けることによって、ベルト付き花器１１は、花器２０から水がこぼれにくくなる。特に、花器２０に水を入れたままベルト付き花器１１を運搬する場合において、花器２０から水がこぼれにくくなり、効果的である。
【００２５】
図４に示すように、本実施形態に係るベルト付き花器１１では、花器２０の側面２２ｂのうち中央高さよりも上側に、生け花の挿し込み用の開口部２７を設けたことが好ましい。開口部２７の形状は、制限されず、例えば、円形、楕円形、正方形又は長方形がある。図４において、開口部２７は、縦３ｃｍ及び横１０ｃｍの楕円形である。また、開口部２７の数は、制限されず、例えば、さらに１個の開口部２７を側面２２ｄに設けても良い（不図示）。開口部２７を設けることによってベルト付き花器１１は、生け花を挿し込むバリエーションを増やせる。なお、水返し部２５を設ける場合は、開口部２７を水返し部２５より上側に設けることが好ましい。花器２０に水を入れた場合に開口部２７から水がこぼれにくくなる。
【００２６】
図５に、運搬状態におけるベルト付き花器１０の概略図を示した。なお、図５において、生け花はその茎のみを符号９０で略して示し、生け花９０の開口２１ａから出ている部分を符号９０ａとして破線で示し、提げ用ベルト３０の留め具３２は略した。ベルト付き花器１０は、提げ用ベルト３０を手提げ又は肩掛けできるので運搬し易い。このとき、ベルト付き花器１０は、ベルト付き花器１０の運搬の為に花器２０に挿し込まれた生け花９０を生け花用バック（不図示）に移し換えなくても良い。なお、ベルト付き花器１０の運搬時に生け花９０が花器２０から飛び出でないようにする為に生け花９０の下部を紐９２で束ねているが、生け花９０の下部を紐９２で束ねなくとも良い。
【００２７】
ここで、生け花９０の上部は、束ねられておらず、生け花９０の開口２１ａから出ている部分９０ａが広がっている。この部分９０ａがベルト付き花器１０の運搬時に人又は壁に接触し、生け花９０が傷つくことがある。そこで、図６に示すように、本実施形態に係るベルト付き花器１０では、提げ用ベルト３０に、花器２０に挿し込まれた生け花９０のうち、花器２０の開口２１ａから出ている部分９０ａを束ねる結束用ベルト３５を装着したことが好ましい。図６に、結束用ベルト３５を装着したベルト付き花器１０の概略図を示した。結束用ベルト３５は、提げ用ベルト３０の下側に略水平に装着される。結束用ベルト３５は、花器２０に挿し込まれた生け花９０の本数に応じて長さを変更できることが好ましい。生け花９０の開口２１ａから出ている部分９０ａを束ねることによって、運搬時に生け花９０が束ねられた状態となるので傷つきにくくなる。
【図面の簡単な説明】
【００２８】
【図１】ベルト付き花器の斜視図である。
【図２】ベルト付き花器の運搬時の画像である。
【図３】生け花の観賞時の画像である。
【図４】水返し部及び生け花の挿し込み用の開口部を備えたベルト付き花器の斜視図である。
【図５】運搬状態におけるベルト付き花器の概略図である。
【図６】結束用ベルトを装着したベルト付き花器の概略図である。
【符号の説明】
【００２９】
１０、１１  ベルト付き花器
２０  花器
２１  天面
２１ａ  天面の開口した部分
２２、２２ａ、２２ｂ、２２ｃ、２２ｄ  側面
２３  底面
２４、２４ａ、２４ｃ  貫通孔
２５  水返し部
２７  挿し込み用の開口部
３０  提げ用ベルト
３１、３１ａ、３１ｃ  ベルト
３２、３２ａ、３２ｃ  留め具
３５  結束用ベルト
９０  生け花
９０ａ  花器の開口から出ている部分
９２  紐
Ｄ  奥行き
Ｈ  花器の高さ
Ｗ１  天面の側の幅
Ｗ２  底面の側の幅
【図１】
0003127602.tif 000003
【図４】
0003127602.tif 000004
【図５】
0003127602.tif 000005
【図６】
0003127602.tif 000006
【図２】
0003127602.tif 000007
【図３】
0003127602.tif 000008